(57)【特許請求の範囲】
【請求項１】
前側に表示面を有し、周縁部に被取付部を有する表示部と、該表示部の周縁部及び後側
を隠蔽するように軸体を前後方向として前記被取付部に取付けられるキャビネットとを備
える表示装置において、
前記軸体の周りにおける前記被取付部と前記キャビネットとの間に、該キャビネットに加わる外力が前記被取付部に伝達されるのを抑制すべき抑制体を設けてあり、
前記キャビネットは、
前記表示部の周縁部前側に配され、前記軸体が挿入される第１の取付部を有するキャビネット前分体と、
前記表示部の後側に配され、前記軸体が挿通される第２の取付部を有するキャビネット後分体と
を有し、
前記軸体の周りにおける前記第１及び第２の取付部と、前記被取付部との間に前記抑制体を配してあることを特徴とする表示装置。
【請求項２】
前記抑制体は、外周部が前記被取付部に保持される弾性筒であり、前記第１及び第２の
取付部の一方は前記弾性筒の一端に接触して該弾性筒を受止める受止部、及び該受止部か
ら前記取付部の他方側へ延出され、前記弾性筒内に挿入される延出筒部を有し、他方は前
記延出筒部の端面に接触する接触部及び前記延出筒部の孔に対応する貫通孔を有し、該貫
通孔に挿入される前記軸体が前記孔に螺着されている請求項１記載の表示装置。
【請求項３】
前記被取付部は前記弾性筒が嵌入される保持孔を有し、前記弾性筒の外周部は前記保持
孔の孔縁部が嵌入される環状溝を有する請求項２記載の表示装置。
【請求項４】
前記抑制体は、外周部が前記被取付部に保持され、内周部に芯金を有する弾性筒である
請求項１記載の表示装置。
【請求項５】
前記キャビネットは、前記周縁部の下縁と上下に向き合い、前記表示部の前記キャビネ
ットに対する下方への移動を規制する規制部を有する請求項１から４のいずれか一つに記
載の表示装置。
【請求項６】
前記規制部は、キャビネット前分体と一体に成形されている請求項５記載の表示装置。
【発明の詳細な説明】
【技術分野】
【０００１】
本発明は液晶表示装置、プラズマ表示装置、ＳＥＤディスプレイ、ＥＬディスプレイ等の表示装置に関する。
【背景技術】
【０００２】
テレビジョン等の表示装置は、画像を表示する表示面を前側に有し、周縁部に被取付部を有する表示部と、該表示部の周縁部及び後側を隠蔽するキャビネットとを有し、その軸心が前後方向である雄螺子により前記キャビネットが、前記被取付部に取付けられている（例えば、特許文献１参照）。
【０００３】
前記キャビネットは前記表示部の周縁部前側に配され、前記被取付部に対応する取付部を有するキャビネット前分体と、前記表示部の後側に配され、前記キャビネット前分体に複数本の雄螺子により結合されるキャビネット後分体とを有する。また、表示部は、表示パネルと、該表示パネルの後側に配され、該表示パネルを支持する光源部とを有し、前記表示パネルの周縁部が、キャビネット前分体の内縁部及び前記光源部の周縁部とにより弾性帯体を介して前後に挾着保持されている。
【特許文献１】特開２００６−２３５４２５号公報
【発明の開示】
【発明が解決しようとする課題】
【０００４】
ところで、特許文献１のように表示パネルの周縁部が弾性帯体を介して挾着保持されている表示装置にあっては、表示装置のスピーカ等が発生する微振動が表示パネルに伝達されるのを弾性帯体により抑制することができる。しかし、輸送中に落下した場合の比較的大きい衝撃力はキャビネットに加わる。
【０００５】
ところが、従来の表示装置におけるキャビネットは表示パネルを支持する光源部の周縁部に雄螺子により直接取付けられており、キャビネットに衝撃力が加わった際、衝撃力が光源部等のパネル保持部材に直接伝達されるため、表示パネルに亀裂が発生したり、割れたりする可能性が高くなり、改善策が要望されていた。
【０００６】
本発明は斯かる事情に鑑みてなされたものであり、主たる目的はキャビネットを表示部の被取付部に取付ける軸体の周りにおける被取付部とキャビネットとの間に、該キャビネットに加わる外力が前記被取付部に伝達されるのを抑制すべき抑制体を設けることにより、キャビネットに加わる外力が表示部の被取付部に伝達されるのを抑制し、外力による表示パネルの亀裂、割れ等の損傷を防ぐことができる表示装置を提供することにある。
【課題を解決するための手段】
【０００７】
本発明に係る表示装置は、前側に表示面を有し、周縁部に被取付部を有する表示部と、該表示部の周縁部及び後側を隠蔽するように軸体を前後方向として前記被取付部に取付けられるキャビネットとを備える表示装置において、前記軸体の周りにおける前記被取付部と前記キャビネットとの間に、該キャビネットに加わる外力が前記被取付部に伝達されるのを抑制すべき抑制体を設けてあり、前記キャビネットは、前記表示部の周縁部前側に配され、前記軸体が挿入される第１の取付部を有するキャビネット前分体と、前記表示部の後側に配され、前記軸体が挿通される第２の取付部を有するキャビネット後分体とを有し、前記軸体の周りにおける前記第１及び第２の取付部と、前記被取付部との間に前記抑制体を配してあることを特徴とする。
【０００８】
この発明にあっては、表示装置が輸送中に落下したりすることによりキャビネットに加
わった外力は、該キャビネットから抑制体に伝達され、該抑制により外力の一部を吸収す
ることができ、外力の表示部への伝達を抑制でき、外力による表示パネルの亀裂、割れ等
の損傷を防ぐことができる。
またこの発明にあっては、キャビネット前分体及びキャビネット後分体を共通の軸体により結合することができ、しかも、この共通の軸体の周りに配する抑制体により外力の伝達を抑制することができるため、抑制体の個数を低減でき、キャビネットの取付け作業工数を低減でき、コストを低減できる。
【００１０】
また、本発明に係る表示装置は、前記抑制体は、外周部が前記被取付部に保持される弾性筒であり、前記第１及び第２の取付部の一方は前記弾性筒の一端に接触して該弾性筒を受止める受止部、及び該受止部から前記取付部の他方側へ延出され、前記弾性筒内に挿入される延出筒部を有し、他方は前記延出筒部の端面に接触する接触部及び前記延出筒部の孔に対応する貫通孔を有し、該貫通孔に挿入される前記軸体が前記孔に螺着されている構成とするのが好ましい。
この発明にあっては、キャビネット前分体、及びキャビネット後分体が軸体の螺着により被取付部に取付けられた際、軸体の螺着力を、延出筒部の端面に加え、軸体の螺着力により弾性筒が撓むのを防ぐことができるため、キャビネット前分体、及びキャビネット後分体と表示部との前後の間隔を維持することができる。
【００１１】
また、本発明に係る表示装置は、前記被取付部は前記弾性筒が嵌入される保持孔を有し、前記弾性筒の外周部は前記保持孔の孔縁部が嵌入される環状溝を有する構成とするのが好ましい。
この発明にあっては、弾性筒の外周部を保持孔に挿嵌することにより、該弾性筒の環状溝に孔縁部を嵌入することができるため、一つの弾性筒により外力の伝達を抑制することができ、しかも、弾性筒を簡易に取付けることができる。
【００１４】
また、本発明に係る表示装置は、前記抑制体は、外周部が前記被取付部に保持され、内周部に芯金を有する弾性筒である構成とするのが好ましい。
この発明にあっては、キャビネット前分体、及びキャビネット後分体を共通の軸体により結合する際、弾性筒が軸体の軸長方向へ撓むのを防ぐことができるため、キャビネットに延出筒部を設けることなく、キャビネットと表示部との前後の間隔を維持することができる。
【００１５】
また、本発明に係る表示装置は、前記キャビネットは、前記周縁部の下縁と上下に向き合い、前記表示部の前記キャビネットに対する下方への移動を規制する規制部を有する構成とするのが好ましい。
この発明にあっては、表示部のキャビネットに対する下方への移動を規制部が規制しているため、換言すると表示部の荷重を、規制部を経てキャビネットで受止めることが可能であるため、表示装置の設置時に抑制体に加わる荷重を低減でき、抑制体の耐久性を高めることができる。また、表示部の自重により、表示部とキャビネットの上下方向相対位置がずれるのを防止することができる。
【００１６】
また、本発明に係る表示装置は、前記規制部は、キャビネット前分体と一体に成形されている構成とするのが好ましい。
この発明にあっては、キャビネット後分体よりもその全体が表示部側に配されるキャビネット前分体と一体に規制部が成形されているため、表示部の荷重を受止めることによりキャビネットの剛性を高めることができ、安価に規制部を形成することができる。
【発明の効果】
【００１７】
本発明によれば、表示装置が輸送中に落下したりすることによりキャビネットに加わった外力は、該キャビネットから抑制体に伝達され、該抑制により外力の一部を吸収することができ、外力の表示部への伝達を抑制でき、外力による表示パネルの亀裂、割れ等の損傷を防ぐことができる。
【発明を実施するための最良の形態】
【００１８】
実施の形態１
以下本発明をその実施の形態を示す図面に基づいて詳述する。図１は本発明に係る表示装置の構成を示す正面図、図２は要部の構成を示す縦断側面図、図３はさらに要部の構成を示す拡大断面図である。
【００１９】
図示した表示装置はテレビ画像を表示する表示面１ａを前側に有し、略直方体をなす表示部１と、該表示部１の周縁部及び後側を隠蔽するキャビネット２と、該キャビネット２を表示部１の周縁部に取付ける軸体としての複数本の雄螺子３と、雄螺子３の周りで、前記周縁部及びキャビネット２間に配置された抑制体としての弾性筒４とを備え、スタンド５により起立状態が維持される液晶テレビジョン、換言すると液晶表示装置である。
【００２０】
表示部１は、前側に表示面１ａを有し略直方体をなす表示パネル１１と、該表示パネル１１の後側に配され、表示パネル１１の周縁部を前後で保持した略四角形をなす前保持枠体１２及び後保持枠体１３と、表示パネル１１の後側に配された拡散板等の複数の光学シート１４と、該光学シート１４の後側に配置され複数のランプ１５及び該ランプ１５を収容支持するケース体１６を有する光源部１７とを備え、該光源部１７の後側に回路基板及び電源基板等の電気部品１８が取付けられている。
【００２１】
前保持枠体１２は、表示パネル１１の周縁部前面に対向する矩形の環板部１２ａ及び環板部１２ａの外縁から後方へ延出されている枠部１２ｂを有し、環板部１２ａの内縁側に、表示パネル１１の周縁部を弾性的に受止める弾性帯体１９ａが貼着され、環板部１２ａの外縁側に、前後方向へ貫通する第１孔１２ｃが周方向へ離隔して複数設けられている。
【００２２】
後保持枠体１３は、表示パネル１１の周縁部後面を支持する矩形の環板部１３ａ及び環板部１３ａの外縁から後方へ延出されている枠部１３ｂを有し、環板部１３ａの内縁側に、表示パネル１１の周縁部を弾性的に受止める弾性帯体１９ｂが貼着され、環板部１３ａの外縁側に、前後方向へ貫通し第１孔１２ｃに対応する第２孔１３ｃが周方向へ離隔して複数設けられている。また、環板部１２ａ，１３ａ同士が複数本の雄螺子により結合され、パネルモジュールを構成している。
【００２３】
光源部１７は、複数本が上下に離隔して並置されている円筒形をなすランプ１５と、該ランプ１５を収容支持し、前側が開放された深皿形をなすケース体１６と、ケース体１６の両側部内側に取付けられ、ランプ１５の両端部を保持するランプホルダと、ランプホルダの前側を隠蔽し、光学シート１４の周縁部両側を支持するカバー体と、ケース体１６の後壁内面に沿って配され、ランプ１５が発光した光をケース体１６の開放側へ反射させる反射シート１７ａとを備える。
【００２４】
ランプ１５は両端部に電極を有する冷陰極管であり、両端部がランプホルダに保持され、中間部がランプクリップによりケース体１６の後壁に保持されている。尚、ランプ１５は熱陰極管であってもよい。
【００２５】
ケース体１６は後壁の周縁に立上部を有する略直方体をなしており、上下の立上部には、縁部から外方へ延出された結合板部１６ａと、該結合板部１６ａの縁から後方へ延出された補強板部１６ｂとが一体に成形されており、結合板部１６ａの複数の周方向位置に、第１孔１２ｃ及び第２孔１３ｃに対応する保持孔１６ｃが開設されている。また、結合板部１６ａの内縁部は光学シート１４の周縁部上側及び下側を支持するシート受部を兼ねている。尚、結合板部１６ａの保持孔１６ｃ部分が被取付部を構成している。
【００２６】
キャビネット２は、表示パネル１１の周縁部前側に配され、前保持枠体１２の環板部１２ａを隠蔽する額縁部２１ａ、及び該額縁部２１ａの外縁から後方へ延出され、前保持枠体１２より大形の角筒部２１ｂを有するキャビネット前分体２１と、ケース体１６の後側を隠蔽する皿状板部２２ａ、及び該皿状板部２２ａの外縁から前方へ延出され、前保持枠体１２より大形の角筒部２２ｂを有するキャビネット後分体２２とを備える。
【００２７】
額縁部２１ａの内外中途部位で複数の周方向位置には、第１孔１２ｃ、第２孔１３ｃ及び保持孔１６ｃに対応する第１の筒形ボス２１ｃが一体に成形されている。この筒形ボス２１ｃは額縁部２１ａの内面から後方へ延出され、弾性筒４の一端に接触して該弾性筒４を受止める受止部２１ｄと、該受止部２１ｄから後方へ延出され、弾性筒４内に挿入される延出筒部２１ｅとを有し、また、角筒部２１ｂの内側には、枠部１２ｂの後縁に係合してキャビネット前分体２１を前保持枠体１２に仮止めするための仮止爪２１ｆが複数個設けられている。筒形ボス２１ｃの基部には周方向に離隔して複数のリブが突設され、該リブの端面が受止部２１ｄの一部を構成している。尚、第１の筒形ボス２１ｃが第１の取付部を構成している。
【００２８】
キャビネット後分体２２における皿状板部２２ａの外周側で複数の周方向位置には、第１の筒形ボス２１ｃに対応する第２の筒形ボス２２ｃが一体に成形されている。第２の筒形ボス２２ｃの端部には、延出筒部２１ｅの孔に対応する貫通孔２２ｄ及び延出筒部２１ｅの端面に接触する接触部２２ｅを有する内向鍔２２ｆが突設されている。尚、第２の筒形ボス２２ｃが第２の取付部を構成している。
【００２９】
抑制体としての弾性筒４はゴム製であり、延出筒部２１ｅの長さよりも若干長い円筒形をなし、外周部には保持孔１６ｃの孔縁部が嵌入される環状溝４１が設けられており、保持孔１６ｃに嵌合保持されている。
【００３０】
軸体としての雄螺子３は、螺子部の一端に頭部３１を有するタッピングネジからなり、軸心を前後方向にして延出筒部２１ｅの孔に螺着されている。
【００３１】
以上のように構成された液晶の表示装置の組立ては例えば次の(1) 〜(7) の工程で行う。
(1) 作業台上に開放部を上向にして平置きされたケース体１６内に反射シート１７ａ、ランプ１５、ランプホルダ及びカバー体が組込まれ、光源部１７が形成される。この光源部１７におけるケース体１６の保持孔１６ｃに弾性筒４の外周部が挿嵌される。このとき、保持孔１６ｃの孔縁部が弾性筒４の環状溝４１に嵌入され、弾性筒４が保持孔１６ｃに保持される。尚、弾性筒４の外周部が保持孔１６ｃに挿嵌されるとき、弾性筒４の外周部が弾性変形しつつ保持孔１６ｃの孔縁部が環状溝４１に嵌入される。
(2) 光源部１７の上側に拡散板を含む光学シート１４が載置され、該光学シート１４の周縁部がケース体１６のシート受部及びカバー体に支持される。
(3) 光学シート１４の上側に後保持枠体１３が載置され、該後保持枠体１３の環板部１３ａに表示パネル１１が載置され、該表示パネル１１の周縁部が支持される。この際、環板部１３ａの第２孔１３ｃは弾性筒４の孔と対応する部位に配される。
(4) 表示パネル１１の上側に前保持枠体１２が載置され、該前保持枠体１２及び後保持枠体１３の周縁部に開設されている孔へ雄螺子を挿通して、ケース体１６の結合板部１６ａに開設されている孔に捩じ込むことにより、前保持枠体１２、後保持枠体１３及びケース体１６が一体に結合され、環板部１２ａ，１３ａの間で表示パネル１１の周縁部が挾持される。この際、環板部１２ａの第１孔１２ｃ及び環板部１３ａの第２孔１３ｃは弾性筒４の孔及び保持孔１６ｃと対応する部位に配される。
(5) 表示パネル１１の上側にキャビネット前分体２１が載置され、該キャビネット前分体２１の仮止爪２１ｆが、前保持枠体１２における枠部１２ｂの後縁に係止され、キャビネット前分体２１が仮止めされ、該キャビネット前分体２１が前保持枠体１２及び後保持枠体１３を介してケース体１６に仮結合される。この際、キャビネット前分体２１における第１の筒形ボス２１ｃの延出筒部２１ｅが弾性筒４の孔に挿入され、受止部２１ｄが弾性筒４の一端に接触する。
(6) 仮結合されたキャビネット前分体２１及びケース体１６を作業台上にて反転し、ケース体１６の後面を上向きとし、光源部１７の後側に回路基板及び電源基板等の電気部品１８を取付け、キャビネット後分体２２が被嵌される。この際、キャビネット後分体２２における第２の筒形ボス２２ｃの端面が弾性筒４の他端に接触し、第２の筒形ボス２２ｃの接触部２２ｅが延出筒部２１ｅの端面と若干の隙間を隔てて対向する。
(7) タッピングネジからなる雄螺子３を第２の筒形ボス２２ｃ内の貫通孔２２ｄに挿入し、該雄螺子３を延出筒部２１ｅの孔に螺着することにより、キャビネット前分体２１、ケース体１６及びキャビネット後分体２２が一体に結合される。この際、弾性筒４が若干撓み、内向鍔２２ｆが延出筒部２１ｅの端面に当接し、仮止爪２１ｆは、枠部１２ｂの後縁との係合が解除され、仮止爪２１ｆと枠部１２ｂの後縁との間に、図２に示すように若干の隙間が発生する。
【００３２】
以上のように組立てられた表示装置は、スタンド未取付けの状態で段ボール製の梱包箱に緩衝体及びスタンドとともに、またはスタンドと別個に梱包され、車両等の輸送手段により輸送され、最終的にはスタンドが装着される。
【００３３】
組立てられた表示装置は、キャビネット前分体２１及びキャビネット後分体２２が取付けられるケース体１６の被取付部（保持孔１６ｃ部分）に弾性筒４が保持され、該弾性筒４を介してキャビネット前分体２１及びキャビネット後分体２２がケース体１６の被取付部に取付けられているため、輸送の途中で表示装置が落下したりすることによりキャビネット前分体２１及び／又はキャビネット後分体２２に加わった外力は、該キャビネット前分体２１及び／又はキャビネット後分体２２から弾性筒４に伝達され、該弾性筒４により外力の一部を吸収することができ、外力の表示部１への伝達を抑制でき、外力による表示パネル１１の亀裂、割れ等の損傷を防ぐことができる。
【００３４】
キャビネット前分体２１及びキャビネット後分体２２は共通の雄螺子３によりケース体１６の被取付部に取付けられているため、弾性筒４の個数を低減でき、キャビネットの取付け作業工数を低減できる。また、第１の筒形ボス２１ｃ及び第２の筒形ボス２２ｃの端面同士が当接しているため、キャビネット前分体２１、及びキャビネット後分体２２とケース体１６（表示部１）との前後の間隔を維持することができる。
【００３５】
実施の形態２
図４は表示装置の他の構成を示すキャビネット後分体を省略した背面図、図５は図４のV −V 線における拡大縦断側面図、図６は図５における下端部を拡大した断面図である。この実施の形態の表示装置は、キャビネット前分体２１における額縁部２１ａ及び角筒部２１ｂの内側に、表示部１における前保持枠体１２の枠部１２ｂの下面と上下に向き合い、表示部１がキャビネット２に対して下方へ移動するのを規制する規制部としての板状のリブ２３を一体に設けたものである。
【００３６】
リブ２３は、キャビネット前分体２１の下辺部の長手方向両端部に配されている。
【００３７】
この実施の形態にあっては、雄螺子３によりキャビネット前分体２１及びキャビネット後分体２２が被取付部（保持孔１６ｃ部分）に取付けられたとき、前保持枠体１２における枠部１２ｂの下面がリブ２３に当接し、表示部１の荷重により弾性筒４が撓むのを抑制することができ、表示部１がキャビネット前分体２１に対して下方向にずれるのを防止し、また、弾性体４の耐久性を高めることができる。尚、リブ２３は枠部１２ｂの下面と接触する構成である他、枠部１２ｂの下面と若干の隙間がある構成とし、表示部１の荷重により弾性筒４が若干撓んだとき、枠部１２ｂの下面がリブ２３に当接する構成としてもよい。
その他の構成及び作用は実施の形態１と同様であるため、同様の部品については同じ符号を付し、その詳細な説明及び作用効果の説明を省略する。
【００３８】
実施の形態３
図７は表示装置の他の構成を示すキャビネットを省略した模式的背面図、図８はキャビネット前分体を取付ける箇所の拡大縦断側面図、図９はキャビネット後分体を取付ける箇所の拡大縦断側面図である。この表示装置は、キャビネット前分体２１及びキャビネット後分体２２の被取付部（保持孔１６ｃ，１６ｄ部分）への取付部位を変え、キャビネット前分体２１を取付ける被取付部の保持孔１６ｃには弾性筒４を保持し、キャビネット後分体２２を取付ける第２の被取付部の保持孔１６ｄには抑制体としての第２の弾性筒４ａを保持したものである。
【００３９】
ケース体１６の結合板部１６ａには、被取付部（保持孔１６ｃ）に関して周方向へ離隔した複数の部位に、第２の被取付部としての第２の保持孔１６ｄが開設されている。
【００４０】
キャビネット前分体２１の額縁部２１ａには第１の筒形ボス２１ｃが一体に成形されており、キャビネット後分体２２の皿状板部２２ａには第２の筒形ボス２２ｃが一体に成形されている。また、キャビネット前分体２１の四つの角部にはキャビネット後分体２２に雄螺子により結合される挿通孔が開設されており、キャビネット後分体２２の四つの角部には前記挿通孔に対応する緊締孔が開設されており、前記挿通孔に挿入する雄螺子を緊締孔に緊締することによりキャビネット前分体２１及びキャビネット後分体２２の四角部を結合するように構成されている。
【００４１】
第１の筒形ボス２１ｃは、受止部２１ｄ及び延出筒部２１ｅを有し、該延出筒部２１ｅが弾性筒４の孔に挿入されている。
【００４２】
第２の筒形ボス２２ｃは、端部に配された内向鍔２２ｆと、該内向鍔２２ｆの内周部から前方へ延出され、第２の弾性筒４ａ内に挿入される第２の延出筒部２２ｇとを有し、また、内向鍔２２ｆの接触部２２ｅに第２の弾性筒４ａを受止めている。
【００４３】
第２の弾性筒４ａは、弾性筒４と同様、第２の延出筒部２２ｇの長さよりも若干長い円筒形をなし、外周部には第２の保持孔１６ｄの孔縁部が嵌入される環状溝４１ａが設けられている。
【００４４】
この表示装置において、キャビネット前分体２１の被取付部（保持孔１６ｃ部分）への取付けは、第１の筒形ボス２１ｃの延出筒部２１ｅが弾性筒４の孔に挿入され、環板状の座金２４を延出筒部２１ｅの端面に当接させ、座金２４の孔に挿入する雄螺子３を延出筒部２１ｅの孔に螺着することにより、弾性筒４を介してキャビネット前分体２１をケース体１６の被取付部に取付ける。
【００４５】
キャビネット後分体２２の第２の被取付部（第２の保持孔１６ｄ部分）への取付けは、第２の筒形ボス２２ｃの第２の延出筒部２２ｇが第２の弾性筒４ａの孔に挿入され、環板状の座金２４を延出筒部２２ｇの端面に当接させ、座金２４の孔に挿入する第２の雄螺子３ａを延出筒部２２ｇの孔に螺着することにより、弾性筒４ａを介してキャビネット後分体２２をケース体１６の被取付部に取付ける。
その他の構成及び作用は実施の形態１、２と同様であるため、同様の部品については同じ符号を付し、その詳細な説明及び作用効果の説明を省略する。
【００４６】
実施の形態４
図１０は表示装置の他の構成を示す要部の拡大縦断側面図である。この表示装置は、弾性筒４の長さとほぼ等しい長さの延出筒部２１ｅを第１の筒形ボス２１ｃに設ける代わりに、弾性筒４の内周部に、該弾性筒４の長さとほぼ等しい長さの芯金４３を設け、該芯金４３を受止部２１ｄと第２の筒形ボス２２ｃとの間で挾持するように構成したものである。
【００４７】
この表示装置にあっては、雄螺子３の延出筒部２１ｅ内への螺着により受止部２１ｄと第２の筒形ボス２２との間で弾性筒４の芯金４３を挾着することができ、雄螺子３の螺着による弾性筒４の撓みを防ぐことができるため、キャビネット前分体２１、及びキャビネット後分体２２とケース体１６（表示部１）との前後の間隔を維持することができる。
その他の構成及び作用は実施の形態１〜３と同様であるため、同様の部品については同じ符号を付し、その詳細な説明及び作用効果の説明を省略する。
【００４８】
尚、以上説明した実施の形態では、外周部に環状溝４１を有する弾性筒４を備え、キャビネット前分体２１及び／又はキャビネット後分体２２に加わる外力を弾性筒４が吸収する構成としたが、その他、弾性筒４は環状溝４１部位から二つに分断された構成とし、一方の弾性筒４が第１の筒形ボス２１ｃと被取付部との間で挾着され、他方の弾性筒４が第２の筒形ボス２２ｃと被取付部との間で挾着される構成としてもよい。
【００４９】
また、以上説明した実施の形態では、被取付部の保持孔１６ｃを円形としたが、その他、保持孔１６ｃは内周面の一部が外部へ開放された略Ｃ字形をなす孔としてもよい。図１１は保持孔１６ｃ及び第２の保持孔１６ｄ部分の構成を示す斜視図である。保持孔１６ｃ，１６ｄは、結合板部１６ａに開設されるＣ字形孔部と、該Ｃ字形孔部の一部に連なり補強板部１６ｂに開設される挿入孔部とを有し、該挿入孔部からＣ字形孔部へ弾性筒４，４ａが挿入される。尚、補強板部１６ｂをなくし、結合板部１６ａのＣ字形孔部だけとしてもよい。
【００５０】
また、実施の形態３では、キャビネット前分体２１の第１の筒形ボス２１ｃと、被取付部との間に弾性筒４を設け、キャビネット後分体２２の第２の筒形ボス２２ｃと、第２の被取付部との間に第２の弾性筒４ａを設けたが、その他、弾性筒４及び第２の弾性筒４ａの一方をなくし、他方だけを有する構成としてもよい。この場合においても、弾性筒４又は弾性筒４ａを介して取付けられるキャビネット前分体２１又はキャビネット後分体２２に加わる外力が表示部１に伝達されるのを抑制することができる。
【００５１】
また、以上説明した実施の形態では弾性筒４からなる抑制体を備える構成としたが、抑制体の形状、及び材質は特に制限されず、キャビネット前分体２１及び／又はキャビネット後分体２２に加わる外力が表示部１に伝達されるのを抑制することができる形状及び材質であればよい。
【００５２】
また、本発明に係る表示装置は液晶テレビジョン等の液晶表示装置である他、プラズマ表示装置、ＥＬディスプレイ等の表示装置であってもよい。
【図面の簡単な説明】
【００５３】
【図１】本発明に係る表示装置の構成を示す正面図である。
【図２】本発明に係る表示装置の要部の構成を示す縦断側面図である。
【図３】本発明に係る表示装置のさらに要部の構成を示す拡大断面図である。
【図４】本発明に係る表示装置の他の構成を示すキャビネット後分体を省略した背面図である。
【図５】図４のV −V 線における拡大縦断側面図である。
【図６】図５における下端部を拡大した断面図である。
【図７】本発明に係る表示装置の他の構成を示すキャビネットを省略した模式的背面図である。
【図８】本発明に係る表示装置のキャビネット前分体を取付ける箇所の拡大縦断側面図である。
【図９】本発明に係る表示装置のキャビネット後分体を取付ける箇所の拡大縦断側面図である。
【図１０】本発明に係る表示装置の他の構成を示す要部の拡大縦断側面図である。
【図１１】本発明に係る表示装置の保持孔及び第２の保持孔部分の構成を示す斜視図である。
【符号の説明】
【００５４】
１    表示部
１ａ  表示面
１６ａ  結合板部
１６ｃ  保持孔（被取付部）
１６ｄ  第２の保持孔（第２の被取付部）
２    キャビネット
２１  キャビネット前分体
２１ｃ  第１の筒形ボス（第１の取付部）
２１ｄ  受止部
２１ｅ  延出筒部
２２  キャビネット後分体
２２ｃ  第２の筒形ボス（第２の取付部）
２２ｅ  接触部
２２ｄ  貫通孔
２３  リブ（規制部）
３    雄螺子（軸体）
３ａ  第２の雄螺子（第２の軸体）
３１  頭部
４    弾性筒（抑制体）
４ａ  第２の弾性筒（第２の抑制体）
４１  環状溝
４３  芯金
【図１】
0005281819.tif 000002
【図２】
0005281819.tif 000003
【図３】
0005281819.tif 000004
【図４】
0005281819.tif 000005
【図５】
0005281819.tif 000006
【図６】
0005281819.tif 000007
【図７】
0005281819.tif 000008
【図８】
0005281819.tif 000009
【図９】
0005281819.tif 000010
【図１０】
0005281819.tif 000011
【図１１】
0005281819.tif 000012